(57)【要約】【課題】電動建具に対して多くの種類の機器を接続することが可能な多目的拡張端子を提供する。【解決手段】電動建具（１）に備えられ、機器を電気的に接続する端子である多目的拡張端子（２２、２３）であって、少なくとも電動建具の操作手段（１０）、電動建具を制御するプログラムを書き換える書き換え装置（１１０）、及びネットワーク通信モジュール（２１０）を接続可能である多目的拡張端子である。【選択図】図２
2013076247.tif 000002
【特許請求の範囲】
【請求項１】
電動建具に備えられ、機器を該電動建具に電気的に接続する端子である多目的拡張端子であって、
少なくとも前記電動建具の操作手段、前記電動建具を制御するプログラムを書き換える書き換え装置、及びネットワーク通信モジュールを接続可能である多目的拡張端子。
【請求項２】
建具本体、及び該建具本体に取り付けられた機器を有し、
前記建具本体と、前記機器とは、請求項１に記載の多目的拡張端子で接続されていることを特徴とする建具。
【発明の詳細な説明】
【技術分野】
【０００１】
本発明は、外部機器を電動建具本体に接続する接続用端子、及びこれを備える建具に関し、電動建具を様々な機器やネットワークに接続可能とする接続用端子、及びこれを備える建具に関する。
【背景技術】
【０００２】
従来から、建物の開口部には電動窓や電動シャッター等の電動建具が用いられ、建具の開閉操作の利便性が図られている。近年では、このような建具を個別に取り扱うのではなく、建物に配置された複数の電動建具を一括して管理してその開閉も一か所で行えるようにする等、ネットワークを用いたさらなる利便性向上が図られている。
【０００３】
電動建具は、開閉の対象を含む本体と該本体を操作するための操作手段を備えているのが通常である。そして本体は建物開口部の所定の位置に配置され、操作手段は人が操作しやすい場所に設けられ、これらが電気的に連結されている。従って、電動建具において本体を例えばネットワークに接続するに際しては当該操作手段を取り去り、ネットワークに接続することが考えられる。例えば特許文献１には、操作手段を取り外し、本体に内蔵された情報処理手段のプログラムを書き換える装置を接続する態様が開示されている。
【先行技術文献】
【特許文献】
【０００４】
【特許文献１】特開２０１１−１６３０４９号公報
【発明の概要】
【発明が解決しようとする課題】
【０００５】
しかしながら、操作手段を取り外して接続する際に用いる接続用端子は電動建具ごとに異なっており、新しくネットワークを構築するに際しても簡単に接続することができるとは限らなかった。特許文献１に記載の発明では、操作手段の接続用端子に合わせて書き換え装置を構成したものであり、多くの種類の機器に対して適用することができるわけではなかった。
【０００６】
そこで本発明は上記の点に鑑み、電動建具に対して多くの種類の機器を接続することが可能な多目的拡張端子を提供することを課題とする。また、これを用いた建具を提供する。
【課題を解決するための手段】
【０００７】
以下、本発明について説明する。ここでは分かり易さのため、図面に付した参照符号を括弧書きで併せて記載するが、本発明はこれに限定されるものではない。
【０００８】
請求項１に記載の発明は、電動建具（１）に備えられ、機器を該電動建具に電気的に接続する端子である多目的拡張端子（２２、２３）であって、少なくとも電動建具の操作手段（１０）、電動建具を制御するプログラムを書き換える書き換え装置（１１０）、及びネットワーク通信モジュール（２１０）を接続可能である多目的拡張端子である。
【０００９】
請求項２に記載の発明は、建具本体（２）、及び該建具本体に取り付けられた機器（１０、１１０、２１０、３１０、４１０）を有し、建具本体と、機器とは、請求項１に記載の多目的拡張端子（２２、２３）で接続されていることを特徴とする建具（１）である。
【発明の効果】
【００１０】
本発明によれば、電動建具に対して多くの種類の機器を接続することが可能となる。
【図面の簡単な説明】
【００１１】
【図１】１つの実施形態を説明するための電動建具を模式的に示した図である。
【図２】接続可能な機器の例を説明する図である。
【発明を実施するための形態】
【００１２】
本発明の上記した作用及び利得は、次に説明する発明を実施するための形態から明らかにされる。以下、本発明を図面に示す実施形態に基づき説明する。ただし本発明はこれら実施形態に限定されるものではない。
【００１３】
図１は、１つの実施形態を説明する図であり、多目的拡張端子２２、２３を含む電動窓１の概要を示す図である。電動窓１は、電動窓本体２、操作手段１０、及び導線２０を備えている。多目的拡張端子２２、２３は、当該電動窓１に含まれている。以下に電動窓１の各構成について説明する。
【００１４】
電動窓本体２は、建物躯体に取り付けられる枠体３を有し、その内側に開閉対象である開閉障子４を備えている。開閉障子４の開閉は駆動手段５からの駆動力により行われる。従って、駆動手段５には、例えばモータや力伝達手段等が配置されている。
また、電動窓本体２には、操作手段１０側からの指令信号に基づいて駆動手段５に対して開閉の指令信号を送信する制御基板６が設けられている。そして操作手段１０からの信号を受け入れて制御基板６に伝達する受信手段、及び駆動手段５からの信号を操作手段１０へ送信する送信手段としての本体側端子７が備えられている。
【００１５】
操作手段１０は使用者の操作に供し、電動窓本体２を操作するための手段である。従って、操作手段１０には、操作者が直接操作する操作部１１が設けられている。操作部１１は例えば「開」、「閉」、「停止」をそれぞれ指示するための押しボタン等により構成されている。また、操作手段１０には、操作部１１からの信号、及び電動窓本体２からの信号を処理する処理基板１２が備えられる。そして処理基板１２からの信号を電動窓本体２に送信する送信手段、及び電動窓本体２からの信号を受信する受信手段としての操作手段側端子１３が設けられている。
【００１６】
導線２０は、電動窓本体２と操作手段１０とを電気的に連結する部材である。導線２０は、導線により構成させる導線部２１と、該導線部２１の両端のそれぞれに配置される多目的拡張端子２２、２３とを備えている。
【００１７】
多目的拡張端子２２、２３は多くの種類の外部機器を接続可能な形態を備えている。例えば電動窓本体２に後述するように無線ＬＡＮモジュールを接続できるようにしようとした場合には端子には既存の通信規格であるＵＡＲＴ（４ＰＩＮ、電源、送信、受信、ＧＮＤ）が必要であり、これを実現可能な構成を備えている。そしてこの場合にはこのような既存のＵＡＲＴを利用して、後で説明する他の外部機器を接続することが可能とされている。
当該ＵＡＲＴは例示であり、必ずしもこれに限定されず、ある１つの端子を用いて他の外部機器を接続することができるように構成されていればよい。
【００１８】
以上のような電動窓１では、図１のように導線２０の一方の多目的拡張端子２２が本体側端子７に接続され、他方の多目的拡張端子２３が操作手段側端子１３に接続される。これにより、電動窓本体２と操作手段１０とを電気的に接続することができ、操作手段１０の操作に基づき電動窓本体２を作動させることが可能となる。
【００１９】
ここで、電動窓１には多目的拡張端子２２、２３が設けられており、当該多目的拡張端子２２、２３は上記のように多くの種類の機器を接続することができるように構成されており、操作手段１０もこのような多くの種類の１つとして適切に接続させることが可能である。
【００２０】
図２には、当該多くの種類の機器の例を示した。図２に示した機器の例は、上記操作手段１０の他、ソフトウェア書き換え装置１１０、ネットワーク通信モジュール２１０、センサ３１０、データ収集装置４１０である。
ソフトウェア書き換え装置１１０は、電動窓本体２に備えられた制御基板６内に含まれるプログラムを更新したり、新規プログラムを加えたりする装置である。
ネットワーク通信モジュール２１０は、電動窓本体２を操作手段１０の操作による開閉でなく、ネットワークに組み込むことにより開閉管理をするための通信モジュールである。上記例示した無線ＬＡＮモジュールもネットワーク通信モジュールの１つである。
センサ３１０は、例えば降雨センサ、温度センサ、湿度センサ等、窓の開閉に関連する環境情報を検知するセンサである。
データ収集装置４１０は、窓の開閉データや電動窓本体２に具備された既存のセンサの検知情報等を収集して記録する装置である。
【００２１】
これら各機器を電動窓本体２に接続するに際しては、既に接続されていた機器を多目的拡張端子２３から外し、新たに接続する機器に多目的拡張端子２３を接続するのみでよい。当該機器を適切に作動させるためにはプログラムが必要となるが、当該プログラムは電動窓本体２側の制御基板６に予め含めておいてもよいし、または、上記ソフトウェア書き換え装置１１０によりプログラムを追加してもよい。
【００２２】
このように、多目的拡張端子２２、２３によれば、端子の共通化により、建具を様々なネットワークや機器に簡易に接続することができるようになる。これによれば、既設の建具を安価にネットワークに接続したり、共通化によるハードウェアの無駄をなくすことが可能となる。
【００２３】
以上で示した実施形態では、建具として電動窓を挙げたが、建具はこれに限定されることなく、開閉機能を有するあらゆる建具に対して適用することができる。これには例えばシャッター等が挙げられる。
【００２４】
また、上記した実施形態では導線に多目的拡張端子を設ける例を説明したが、これに限定されることなく、例えば建具本体（本実施形態では電動窓本体２）に具備される本体側端子を多目的拡張端子としてもよく、また、建具本体側に多目的拡張端子を追加して取り付ける構成であってもよい。
【符号の説明】
【００２５】
１  電動窓（建具）
２  電動窓本体
３  枠
４  開閉障子
５  駆動手段
６  制御基板
７  本体側端子
１０  操作手段
１１  操作部
１２  処理基板
１３  操作手段側端子
２０  導線
２１  導線部
２２  多目的拡張端子
２３  多目的拡張端子
１１０  書き換え装置
２１０  ネットワーク通信モジュール
３１０  センサ
４１０  データ収集装置
【図１】
2013076247.tif 000003
【図２】
2013076247.tif 000004